(57)【要約】      （修正有）【課題】耳たぶや耳珠で脈波や血圧を測定するとしても、夜間に寝返りを打ったり、手術中において患者の首の向きを変えたりする場合にカフがずれることがなく、患者（被検者）に負担感がない耳式血圧計のカフ装置の保護カバーを提供する。【解決手段】外耳道に挿入される内側カフと、耳珠の外側に位置される外側カフと、内側カフと前記外側カフとを保持する保持手段と、内側カフまたは外側カフの少なくとも一方に内蔵され、血管を流れる血液から脈波信号を検出する脈波検出手段とを備えたカフ装置を保護するカバーであって、可撓性を有し湾曲状の本体と、耳の後ろ側で固定するために本体の１つの端部に設けられ、柔軟性を有する第１の固定部材と、こめかみ近傍に固定するために本体のもう１つの端部に設けられ、柔軟性を有する第２の固定部材とからなることを特徴とする。【選択図】図１
0003142247.tif 000002
【実用新案登録請求の範囲】
【請求項１】
外耳道に挿入される内側カフと、耳珠の外側に位置される外側カフと、
前記内側カフと前記外側カフとを保持する保持手段と、
前記内側カフまたは前記外側カフの少なくとも一方に内蔵され、血管を流れる血液から脈波信号を検出する脈波検出手段とを備えたカフ装置を保護するカバーであって、
可撓性を有し湾曲状の本体と、
耳の後ろ側で固定するために該本体の１つの端部に設けられ、柔軟性を有する第１の固定部材と、こめかみ近傍に固定するために該本体のもう１つの端部に設けられ、柔軟性を有する第２の固定部材とからなることを特徴とするカフ装置の保護カバー。
【請求項２】
該カフ装置の保護カバーは、透明性樹脂で形成されたことを特徴とする請求項１に記載のカフ装置の保護カバー。
【考案の詳細な説明】
【技術分野】
【０００１】
本考案は、耳式血圧計のカフ装置の保護カバーに関する。
【背景技術】
【０００２】
血圧は、外部環境や内部環境の変化に応じて刻々変動している。このため、一拍一拍を連続的に記録できれば理想的となるが、たとえ連続的に記録できなくても、１日における血圧を定期的（間欠的）に連続測定して血圧の経時変化を測定することにより、健康管理を行うことも重要である。
【０００３】
従来の血圧測定装置で定期的に血圧を測定する場合には、例えば、被験者の上腕にカフを巻いて血圧を測定することになる。この場合には、上腕を覆う大きなサイズのカフと、このカフに接続される血圧測定装置の本体とを身体に装着する必要がある。このため、被験者は、カフを上腕に装着し、このカフに接続される血圧測定装置の本体とを身体に装着した状態で日常生活を送る必要があるが、これでは日常生活における支障が大きい。また被験者は圧力測定のたびに上腕が圧迫されて痛みを感じるなどの負担を強いられる場合もある。
【０００４】
このような問題を解決するために、上腕で血圧を測定する替わりに耳部で血圧測定する測定方法がある。この測定方法は、上腕に比べてカフおよび本体も小型化することができる。また、耳たぶにカフを装着し、耳たぶを圧迫することにより脈波を測定する方法がある。このように耳たぶを被検出部とする方法によれば、上腕にカフを装着して血圧を測定する血圧計よりもカフおよび本体を小型化することができ、被験者の負担も軽減できることとなる。（特許文献１，非特許文献１）。
【特許文献１】ＷＯ２００５−０３４７４２号公報
【非特許文献１】栃久保修、”血圧の測定法と臨床評価”、株式会社メディカルトリビューン、１９８８年発行、５９〜６１頁
【考案の開示】
【考案が解決しようとする課題】
【０００５】
しかしながら、上記のように耳たぶや耳珠で脈波や血圧を測定するとしても、夜間に寝返りを打ったり、手術中において患者の首の向きを変えたりする場合にカフがずれるという問題がある。
【０００６】
したがって、本考案はこのような事情に鑑みてなされたものであり、耳たぶや耳珠で脈波や血圧を測定するとしても、夜間に寝返りを打ったり、手術中において患者の首の向きを変えたりする場合にカフがずれることがなく、患者（被検者）に負担感がない耳式血圧計のカフ装置の保護カバーを提供することを目的としている。
【課題を解決するための手段】
【０００７】
上述した課題を解決し、目的を達成するために、本考案のカフ装置の保護カバーによれば、外耳道に挿入される内側カフと、耳珠の外側に位置される外側カフと、内側カフと前記外側カフとを保持する保持手段と、内側カフまたは外側カフの少なくとも一方に内蔵され、血管を流れる血液から脈波信号を検出する脈波検出手段とを備えたカフ装置を保護するカバーであって、可撓性を有し湾曲状の本体と、耳の後ろ側で固定するために本体の１つの端部に設けられ、柔軟性を有する第１の固定部材と、こめかみ近傍に固定するために本体のもう１つの端部に設けられ、柔軟性を有する第２の固定部材とからなることを特徴とする。また、保護カバーは、透明性樹脂で形成されたことを特徴とする。
【考案の効果】
【０００８】
本考案によれば、耳たぶや耳珠で脈波や血圧を測定するとしても、夜間に寝返りを打ったり、手術中において患者の首の向きを変えたりする場合にカフがずれることがなく、患者（被検者）に負担感がない簡単な構造で、安価な耳式血圧計のカフ装置の保護カバーを提供することができる。
【考案を実施するための最良の形態】
【０００９】
先ず、本考案の最大の特徴は、耳珠を血圧測定部位として用いる点が挙げられる。このように耳珠を血圧測定用の部位として選んだ理由は、耳珠は耳介の一部でありかなり小さいために血圧検出部を小型化できる利点がある。また、耳珠は頭部の一部であるので位置変動が少なく血圧測定に適している。さらに耳珠は、集音以外の目的では使用されないので就寝中を含みカフを常時装着していても、指などに比べて日常生活に対する支障が少なく、さらに血圧検出部を小型化できるために血圧測定時において被験者に対して痛みを与える原因となる侵襲度を少なくできる点などが挙げられる。
【００１０】
ここで、耳珠を血圧測定部位にすることで血圧測定時に痛みを低減できる点についてさらに補足すると、上腕や指は体の重要な部位として複雑な作業を行うので、それらの作業ができるようにそれらの血管の周囲には多くの神経が張り巡らされている。
【００１１】
一方で、耳介の一部である耳珠は、頭部に固定され、主に集音目的に使用されるために、耳珠周辺にある神経の量は、複雑な作業に使われる上腕や指に比べて少ない。このため、外耳及びその周辺部を用いて血圧測定をする場合には、耳珠が最も痛みを感じにくい部位であり、かつ耳珠は小さい部位でありカフを小さく構成できることから、上腕や指を用いる血圧測定に比べて血圧測定時の痛みを低減できるという利点がある。
【００１２】
しかし、耳珠は耳介の一部の小さい部位であることから、小さい血圧測定部を耳珠に対して確実かつ安定して固定することができないと、血圧検出部が測定時に動いてしまい精度よく血圧測定ができないこととなる。
【００１３】
以下に図面を参照して、本考案に係る好適な実施形態のカフ装置の保護カバー１として説明する。なお、以下に示す実施形態の各部の構成と形状および寸法は、一例に過ぎず、これらにより本考案の技術的範囲が限定的に解釈されないことは言うまでもない。
【００１４】
図１は、本考案のカフ装置の保護カバー１の図である。（ａ）は側面図、（ｂ）は正面図、（ｃ）は平面図、（ｄ）は斜視図である。
【００１５】
図１において、装着時の不快感を緩和するために、カフ装置の保護カバー１は、可撓性を有し、湾曲（円弧）状で、幅Ｗが１０〜８０ｍｍ程度，長さＬが５０〜１２０ｍｍ程度、湾曲（円弧）状の高さＨが２５〜６０ｍｍ程度の本体１１、耳の後ろ側で固定するために本体の１つの端部１１ａに設けられ、本体１よりもやや幅が広く、柔軟性を有する第１の固定部材１２と、こめかみ近傍に固定するために本体のもう１つの端部１１ｂに設けられ、柔軟性を有する第２の固定部材１３とからなる。第１の固定部材１２の底面，第２の固定部材１３にはそれぞれ貼付けようの粘着材１２ａ，１３ａが設けられている。なお、端部１１ｂはほぼ平坦に形成されていて、その長さは３〜２０ｍｍ程度である。また、本体１１は、好ましくは透明なアクリル製樹脂で形成され、第１の固定部材１２，第２の固定部材１３はポリウレタン製樹脂，発泡性樹脂，ゲル状粘着材等で形成されている。なお、図２は、本考案のカフ装置の保護カバー１を患者（被検者）に装着した状態を示す図である。
【図面の簡単な説明】
【００１６】
【図１】本考案のカフ装置の保護カバーを示す図である。
【図２】本考案のカフ装置の保護カバーを患者に装着した状態を示す図である。
【符号の説明】
【００１７】
１  カフ装置の保護カバー、１１  本体、１２  第１の固定部材、１３  第２の固定部材１３
【図１】
0003142247.tif 000003
【図２】
0003142247.tif 000004